(57)【要約】【課題】画像形成装置に関する設定作業を複数の作業者によって良好に実行することが可能な技術を提供する。【解決手段】ＭＦＰ１０のタッチパネル２５に、第１ユーザ向けの設定確認画面５１０（第１画面）と第２ユーザ向けの設定確認画面５２０（第２画面）とが表示される。ＭＦＰ１０のコントローラは、第１ユーザからの操作入力の情報と第２ユーザからの操作入力の情報とに基づき、第１画面５１０における表示内容を制御する。第１画面５１０においては、第１ユーザによる設定内容と第２ユーザによる設定内容とが表示される。【選択図】図６
2020188356.tif 000002
【特許請求の範囲】
【請求項１】
画像形成装置であって、
第１ユーザ向けの表示画面である第１画面を表示するユーザインターフェイス手段と、
前記第１ユーザからの操作入力の情報と第２ユーザからの操作入力の情報とに基づき、前記第１画面における表示内容を制御する制御手段と、
を備え、
前記制御手段は、少なくとも１つの設定項目に関して前記第１ユーザによる設定内容と前記第２ユーザによる設定内容とを前記第１画面に表示することを特徴とする画像形成装置。
【請求項２】
請求項１に記載の画像形成装置において、
前記制御手段は、前記第２ユーザ向けの表示画面である第２画面において、前記第２ユーザによる設定内容と前記第１ユーザによる設定内容とを表示することを特徴とする画像形成装置。
【請求項３】
請求項２に記載の画像形成装置において、
前記ユーザインターフェイス手段は、前記第２ユーザ向けの前記第２画面をも表示することを特徴とする画像形成装置。
【請求項４】
請求項２に記載の画像形成装置において、
前記制御手段は、前記画像形成装置とは別の外部装置に設けられた操作入力部に表示される前記第２画面において、前記第２ユーザによる設定内容と前記第１ユーザによる設定内容とを表示することを特徴とする画像形成装置。
【請求項５】
請求項１から請求項４のいずれかに記載の画像形成装置において、
前記制御手段は、一の設定項目に関して、前記第１ユーザによる設定内容と前記第２ユーザによる設定内容との両内容が互いに異なる場合、前記一の設定項目に関して前記両内容が互いに異なることを報知することを特徴とする画像形成装置。
【請求項６】
請求項５に記載の画像形成装置において、
前記制御手段は、前記一の設定項目に関して、前記第１ユーザの入力操作によって変更された設定内容と前記第２ユーザの入力操作によって変更された設定内容との両内容が合致しない場合、前記一の設定項目に関して当該両内容が合致していないことを報知することを特徴とする画像形成装置。
【請求項７】
請求項５に記載の画像形成装置において、
前記制御手段は、前記一の設定項目に関して、前記第１ユーザによる設定変更操作は行われず且つ前記第２ユーザによる設定変更操作が行われた場合、前記一の設定項目に関して両ユーザのうちの前記第２ユーザのみによる設定変更が行われたことを報知することを特徴とする画像形成装置。
【請求項８】
請求項１に記載の画像形成装置において、
前記制御手段は、一の設定項目に関して前記第１ユーザによる設定内容と前記第２ユーザによる設定内容との両内容が互いに異なる場合、前記一の設定項目に関して前記両内容が互いに異なることを示すマークを前記一の設定項目に関連付けて表示するとともに、当該マークに対するユーザ操作に応答して前記第２ユーザによる前記設定内容を表示することを特徴とする画像形成装置。
【請求項９】
請求項１に記載の画像形成装置において、
前記制御手段は、一の設定項目に関して、前記第１ユーザによる設定内容と前記第２ユーザによる設定内容との両内容が互いに異なる場合において、前記一の設定項目に関して前記第１ユーザによる入力操作と前記第２ユーザによる入力操作との両入力操作のうちの一方のみが行われているときと双方が行われているときとで、互いに異なる態様の報知動作を実行することを特徴とする画像形成装置。
【請求項１０】
請求項９に記載の画像形成装置において、
前記制御手段は、前記一の設定項目に関して前記両内容が互いに異なる場合において、前記両入力操作のうちの一方のみが行われているときと双方が行われているときとで、前記一の設定項目の設定内容に関する表示色として互いに異なる色を用いることを特徴とする画像形成装置。
【請求項１１】
請求項２に記載の画像形成装置において、
前記第１画面は、前記第１ユーザの使用言語である第１言語で表示され、
前記第２画面は、前記第２ユーザの使用言語である第２言語で表示されることを特徴とする画像形成装置。
【請求項１２】
請求項１１に記載の画像形成装置において、
前記制御手段は、一の設定項目に関して、前記第１ユーザによる設定内容と前記第２ユーザによる設定内容との両内容が互いに異なる場合、前記第２ユーザによる設定内容を前記第１言語で前記第１画面に表示することを特徴とする画像形成装置。
【請求項１３】
請求項１１に記載の画像形成装置において、
前記制御手段は、一の設定項目に関して、前記第１ユーザによる設定内容と前記第２ユーザによる設定内容との両内容が互いに異なる場合、前記第１ユーザによる設定内容を前記第２言語で前記第２画面に表示することを特徴とする画像形成装置。
【請求項１４】
請求項１１に記載の画像形成装置において、
前記制御手段は、一の設定項目に関して前記第１ユーザによる設定内容と前記第２ユーザによる設定内容との両内容が互いに異なる場合、前記一の設定項目に関する複数の選択肢のうち、前記第１ユーザによって選択された選択肢と前記第２ユーザによって選択された選択肢とのみを前記第１言語と前記第２言語との両言語で表示することを特徴とする画像形成装置。
【請求項１５】
請求項１１に記載の画像形成装置において、
前記制御手段は、一の設定項目に関して前記第１ユーザによる設定内容と前記第２ユーザによる設定内容との両内容が互いに異なる場合、前記一の設定項目に関する複数の選択肢のうち、前記第１ユーザによる前記設定内容に対応する選択肢と前記第２ユーザによる前記設定内容に対応する選択肢との２つの選択肢のみを、それぞれ、前記第１言語と前記第２言語との両言語で表示することを特徴とする画像形成装置。
【請求項１６】
画像形成装置に内蔵されたコンピュータに、
ａ）第１ユーザからの操作入力情報と第２ユーザからの操作入力情報とを取得するステップと、
ｂ）前記第１ユーザからの前記操作入力情報と前記第２ユーザからの前記操作入力情報とに基づき、前記第１ユーザ向けの表示画面である第１画面を表示するステップと、
を実行させるためのプログラムであって、
前記ステップｂ）は、
ｂ−１）少なくとも１つの設定項目に関して、前記第１ユーザによる設定内容と前記第２ユーザによる設定内容とを前記第１画面に表示するステップ、
を有することを特徴とするプログラム。
【請求項１７】
画像形成システムであって、
画像形成装置と、
前記画像形成装置の外部装置と、
を備え、
前記画像形成装置は、
第１ユーザ向けの表示画面である第１画面を表示する第１操作手段と、
前記第１画面における表示内容を制御する第１制御手段と、
前記第１ユーザからの操作入力の情報を前記外部装置に送信する第１通信手段と、
を有し、
前記外部装置は、
第２ユーザ向けの表示画面である第２画面を表示する第２表示領域を有する第２操作手段と、
前記第２画面における表示内容を制御する第２制御手段と、
前記第２ユーザからの操作入力の情報を前記画像形成装置に送信する第２通信手段と、
を有し、
前記第１制御手段は、前記第１ユーザからの前記操作入力の情報と前記第２ユーザからの前記操作入力の情報とに基づき、少なくとも１つの設定項目に関して前記第１ユーザによる設定内容と前記第２ユーザによる設定内容とを前記第１画面に表示し、
前記第２制御手段は、前記第１ユーザからの前記操作入力の情報と前記第２ユーザからの前記操作入力の情報とに基づき、前記少なくとも１つの設定項目に関して前記第１ユーザによって設定された設定内容と前記第２ユーザによって設定された設定内容とを前記第２画面に表示することを特徴とする画像形成システム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
画像形成装置にてジョブを実行するにあたっては、各種の設定項目に関する設定操作が行われる。
【０００３】
このような設定操作は、通常、単一のユーザによって実行される。
【０００４】
一方、特許文献１においては、複数のユーザが或る設定作業を共同して実行する技術が記載されている。具体的には、第１の利用者用画面と第２の利用者用画面との間でそれぞれの利用者（各ユーザ）による入力内容が同期される技術が記載されている。
【先行技術文献】
【特許文献】
【０００５】
【特許文献１】特開２０１４−１５７５６２号公報
【発明の概要】
【発明が解決しようとする課題】
【０００６】
ところで、複数のユーザによる共同作業においては、他のユーザの意思を尊重しつつ自らの所望の設定内容との間で調整を図ることがある。
【０００７】
しかしながら、上記特許文献１の技術では、一方の利用者（ユーザ）による設定画面において、他方の利用者による設定内容が常に自動的に反映されてしまう。それ故、自らの所望の設定内容と他者の所望の設定内容とを各ユーザがそれぞれ認識することが困難であり、その結果、両者の調整を図ることが必ずしも容易ではない。
【０００８】
そこで、この発明は、画像形成装置に関する設定作業を複数の作業者によって良好に実行することが可能な技術を提供することを課題とする。
【課題を解決するための手段】
【０００９】
上記課題を解決すべく、請求項１の発明は、画像形成装置であって、第１ユーザ向けの表示画面である第１画面を表示するユーザインターフェイス手段と、前記第１ユーザからの操作入力の情報と第２ユーザからの操作入力の情報とに基づき、前記第１画面における表示内容を制御する制御手段と、を備え、前記制御手段は、少なくとも１つの設定項目に関して前記第１ユーザによる設定内容と前記第２ユーザによる設定内容とを前記第１画面に表示することを特徴とする。
【００１０】
請求項２の発明は、請求項１の発明に係る画像形成装置において、前記制御手段は、前記第２ユーザ向けの表示画面である第２画面において、前記第２ユーザによる設定内容と前記第１ユーザによる設定内容とを表示することを特徴とする。
【００１１】
請求項３の発明は、請求項２の発明に係る画像形成装置において、前記ユーザインターフェイス手段は、前記第２ユーザ向けの前記第２画面をも表示することを特徴とする。
【００１２】
請求項４の発明は、請求項２の発明に係る画像形成装置において、前記制御手段は、前記画像形成装置とは別の外部装置に設けられた操作入力部に表示される前記第２画面において、前記第２ユーザによる設定内容と前記第１ユーザによる設定内容とを表示することを特徴とする。
【００１３】
請求項５の発明は、請求項１から請求項４のいずれかの発明に係る画像形成装置において、前記制御手段は、一の設定項目に関して、前記第１ユーザによる設定内容と前記第２ユーザによる設定内容との両内容が互いに異なる場合、前記一の設定項目に関して前記両内容が互いに異なることを報知することを特徴とする。
【００１４】
請求項６の発明は、請求項５の発明に係る画像形成装置において、前記制御手段は、前記一の設定項目に関して、前記第１ユーザの入力操作によって変更された設定内容と前記第２ユーザの入力操作によって変更された設定内容との両内容が合致しない場合、前記一の設定項目に関して当該両内容が合致していないことを報知することを特徴とする。
【００１５】
請求項７の発明は、請求項５の発明に係る画像形成装置において、前記制御手段は、前記一の設定項目に関して、前記第１ユーザによる設定変更操作は行われず且つ前記第２ユーザによる設定変更操作が行われた場合、前記一の設定項目に関して両ユーザのうちの前記第２ユーザのみによる設定変更が行われたことを報知することを特徴とする。
【００１６】
請求項８の発明は、請求項１の発明に係る画像形成装置において、前記制御手段は、一の設定項目に関して前記第１ユーザによる設定内容と前記第２ユーザによる設定内容との両内容が互いに異なる場合、前記一の設定項目に関して前記両内容が互いに異なることを示すマークを前記一の設定項目に関連付けて表示するとともに、当該マークに対するユーザ操作に応答して前記第２ユーザによる前記設定内容を表示することを特徴とする。
【００１７】
請求項９の発明は、請求項１の発明に係る画像形成装置において、前記制御手段は、一の設定項目に関して、前記第１ユーザによる設定内容と前記第２ユーザによる設定内容との両内容が互いに異なる場合において、前記一の設定項目に関して前記第１ユーザによる入力操作と前記第２ユーザによる入力操作との両入力操作のうちの一方のみが行われているときと双方が行われているときとで、互いに異なる態様の報知動作を実行することを特徴とする。
【００１８】
請求項１０の発明は、請求項９の発明に係る画像形成装置において、前記制御手段は、前記一の設定項目に関して前記両内容が互いに異なる場合において、前記両入力操作のうちの一方のみが行われているときと双方が行われているときとで、前記一の設定項目の設定内容に関する表示色として互いに異なる色を用いることを特徴とする。
【００１９】
請求項１１の発明は、請求項２の発明に係る画像形成装置において、前記第１画面は、前記第１ユーザの使用言語である第１言語で表示され、前記第２画面は、前記第２ユーザの使用言語である第２言語で表示されることを特徴とする。
【００２０】
請求項１２の発明は、請求項１１の発明に係る画像形成装置において、前記制御手段は、一の設定項目に関して、前記第１ユーザによる設定内容と前記第２ユーザによる設定内容との両内容が互いに異なる場合、前記第２ユーザによる設定内容を前記第１言語で前記第１画面に表示することを特徴とする。
【００２１】
請求項１３の発明は、請求項１１の発明に係る画像形成装置において、前記制御手段は、一の設定項目に関して、前記第１ユーザによる設定内容と前記第２ユーザによる設定内容との両内容が互いに異なる場合、前記第１ユーザによる設定内容を前記第２言語で前記第２画面に表示することを特徴とする。
【００２２】
請求項１４の発明は、請求項１１の発明に係る画像形成装置において、前記制御手段は、一の設定項目に関して前記第１ユーザによる設定内容と前記第２ユーザによる設定内容との両内容が互いに異なる場合、前記一の設定項目に関する複数の選択肢のうち、前記第１ユーザによって選択された選択肢と前記第２ユーザによって選択された選択肢とのみを前記第１言語と前記第２言語との両言語で表示することを特徴とする。
【００２３】
請求項１５の発明は、請求項１１の発明に係る画像形成装置において、前記制御手段は、一の設定項目に関して前記第１ユーザによる設定内容と前記第２ユーザによる設定内容との両内容が互いに異なる場合、前記一の設定項目に関する複数の選択肢のうち、前記第１ユーザによる前記設定内容に対応する選択肢と前記第２ユーザによる前記設定内容に対応する選択肢との２つの選択肢のみを、それぞれ、前記第１言語と前記第２言語との両言語で表示することを特徴とする。
【００２４】
請求項１６の発明は、画像形成装置に内蔵されたコンピュータに、ａ）第１ユーザからの操作入力情報と第２ユーザからの操作入力情報とを取得するステップと、ｂ）前記第１ユーザからの前記操作入力情報と前記第２ユーザからの前記操作入力情報とに基づき、前記第１ユーザ向けの表示画面である第１画面を表示するステップと、を実行させるためのプログラムであって、前記ステップｂ）は、ｂ−１）少なくとも１つの設定項目に関して、前記第１ユーザによる設定内容と前記第２ユーザによる設定内容とを前記第１画面に表示するステップ、を有することを特徴とする。
【００２５】
請求項１７の発明は、画像形成システムであって、画像形成装置と、前記画像形成装置の外部装置と、を備え、前記画像形成装置は、第１ユーザ向けの表示画面である第１画面を表示する第１操作手段と、前記第１画面における表示内容を制御する第１制御手段と、前記第１ユーザからの操作入力の情報を前記外部装置に送信する第１通信手段と、を有し、前記外部装置は、第２ユーザ向けの表示画面である第２画面を表示する第２表示領域を有する第２操作手段と、前記第２画面における表示内容を制御する第２制御手段と、前記第２ユーザからの操作入力の情報を前記画像形成装置に送信する第２通信手段と、を有し、前記第１制御手段は、前記第１ユーザからの前記操作入力の情報と前記第２ユーザからの前記操作入力の情報とに基づき、少なくとも１つの設定項目に関して前記第１ユーザによる設定内容と前記第２ユーザによる設定内容とを前記第１画面に表示し、前記第２制御手段は、前記第１ユーザからの前記操作入力の情報と前記第２ユーザからの前記操作入力の情報とに基づき、前記少なくとも１つの設定項目に関して前記第１ユーザによって設定された設定内容と前記第２ユーザによって設定された設定内容とを前記第２画面に表示することを特徴とする。
【発明の効果】
【００２６】
請求項１〜請求項１７に記載の発明によれば、第１ユーザ向けの第１画面において、第１ユーザによる設定内容と第２ユーザによる設定内容とが表示されるので、第１ユーザの自らの所望の設定内容と他者である第２ユーザの所望の設定内容とを第１ユーザが認識することが可能である。したがって、画像形成装置に関する設定作業を複数の作業者によって良好に実行することが可能である。
【００２７】
特に、請求項２に記載の発明によれば、第２ユーザ向けの第２画面において、第１ユーザによる設定内容と第２ユーザによる設定内容とが表示されるので、第２ユーザの自らの所望の設定内容と他者である第１ユーザの所望の設定内容とを第２ユーザが認識することが可能である。したがって、画像形成装置に関する設定作業を複数の作業者によってさらに良好に実行することが可能である。
【００２８】
また特に、請求項８に記載の発明によれば、一の設定項目に関して第１ユーザによる設定内容と第２ユーザによる設定内容との両内容が互いに異なる場合、第２ユーザによる設定内容は、マークに対するユーザ操作に応答して表示される。第２ユーザによる設定内容は、当該ユーザ操作が行われるまで表示されないので、画面内に一度に表示される情報を抑制して見易い表示を実現することが可能である。
【００２９】
また特に、請求項９に記載の発明によれば、一の設定項目に関して、第１ユーザによる設定内容と第２ユーザによる設定内容との両内容が互いに異なる場合において、当該一の設定項目に関して第１ユーザによる入力操作と第２ユーザによる入力操作との両入力操作のうちの一方のみが行われているときと双方が行われているときとで、互いに異なる態様の報知動作が実行される。したがって、ユーザは、両入力操作のうちの一方のみが行われているのか双方が行われているのかを判別するとともに、その判別結果に応じた適切な確認作業を実行することが可能である。
【図面の簡単な説明】
【００３０】
【図１】ＭＦＰの外観を示す図である。
【図２】ＭＦＰの機能ブロックを示す図である。
【図３】第１実施形態に係るＭＦＰの動作を示すフローチャートである。
【図４】第１実施形態に係るＭＦＰの動作を示すフローチャートである。
【図５】変形例に係るＭＦＰの動作を示すフローチャートである。
【図６】１段階表示モードにおける設定確認画面を示す図である。
【図７】２段階表示モードにおける設定確認画面を示す図である（第２実施形態）。
【図８】第１ユーザ向けの設定確認画面内のマーク押下後の様子を示す図である。
【図９】第２ユーザ向けの設定確認画面内のマーク押下後の様子を示す図である。
【図１０】第１ユーザ向けの設定確認画面内のマーク押下後の様子を示す図である。
【図１１】第２ユーザ向けの設定確認画面内のマーク押下後の様子を示す図である。
【図１２】第１ユーザ向けの設定確認画面内のマーク押下後の様子を示す図である。
【図１３】第２ユーザ向けの設定確認画面内のマーク押下後の様子を示す図である。
【図１４】２段階表示モードにおける表示態様を説明するための図である。
【図１５】複数ユーザ操作モード（共同作業モード）における設定画面を示す図である。
【図１６】図１５の左側にポップアップ画面が表示される様子を示す図である。
【図１７】ポップアップ画面における設定変更操作後の様子を示す図である。
【図１８】図１５の右側にポップアップ画面が表示される様子を示す図である。
【図１９】ポップアップ画面における設定変更操作後の様子を示す図である。
【図２０】「カラー」に関する設定変更操作完了後の設定画面を示す図である。
【図２１】「印刷出力面」に関する設定変更操作完了後の設定画面を示す図である。
【図２２】第３実施形態に係るＭＦＰの動作（一部）を示すフローチャートである。
【図２３】変形例に係る表示画面を示す図である。
【図２４】単一ユーザ操作モードにおける設定画面を示す図である。
【図２５】画像形成システムを示す図である。
【図２６】第１ユーザ向けの設定確認画面（第４実施形態）を示す図である。
【図２７】第２ユーザ向けの設定確認画面（第４実施形態）を示す図である。
【発明を実施するための形態】
【００３１】
以下、本発明の実施形態を図面に基づいて説明する。
【００３２】
＜１．第１実施形態＞
＜１−１．画像形成装置の構成＞
図１は、ＭＦＰ１０（マルチ・ファンクション・ペリフェラル（Multi-Functional Peripheral））の外観を示す図であり、図２は、ＭＦＰ１０の機能ブロックを示す図である。ここでは、画像形成装置として、ＭＦＰ１０を例示する。なお、ＭＦＰ１０は、画像処理装置あるいは印刷出力装置とも称される。
【００３３】
ＭＦＰ１０は、コピージョブ、スキャンジョブおよびボックス格納ジョブなどを実行することが可能な装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種のジョブを実行することが可能である。
【００３４】
画像読取部２は、ＭＦＰ１０の所定の位置に載置された原稿を光学的に読み取って（すなわちスキャンして）、当該原稿の画像データ（原稿画像データあるいはスキャンデータとも称する）を生成する処理部である。この画像読取部２は、スキャン部であるとも称される。
【００３５】
印刷出力部３は、印刷対象データに基づいて紙などの各種の媒体に画像を印刷出力する出力部である。
【００３６】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（外部装置）との間で各種のデータを授受することが可能である。通信部４は、各種データを送信する送信部４ａと各種データを受信する受信部４ｂとを有する。
【００３７】
格納部５は、ハードディスクドライブ（ＨＤＤ）および半導体メモリ等の記憶装置で構成される。
【００３８】
操作部６は、ＭＦＰ１０に対する操作入力を受け付ける操作入力部６ａと、各種情報の表示出力を行う表示部６ｂとを備えている。
【００３９】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者（ユーザ）からの各種の操作入力を受け付けることが可能である。
【００４０】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク１０８等を経由してダウンロードされてＭＦＰ１０にインストールされるようにしてもよい。
【００４１】
具体的には、図２に示すように、コントローラ９は、当該プログラムの実行により、通信制御部１１と入力制御部１２と表示制御部１３とジョブ制御部１４とを含む各種の処理部を実現する。
【００４２】
通信制御部１１は、他の装置（外部装置５０（後述）等）との間の通信動作を通信部４等と協働して制御する処理部である。
【００４３】
入力制御部１２は、操作入力部６ａ（タッチパネル２５等）に対するユーザからの操作入力の受付動作等を制御する制御部である。
【００４４】
表示制御部１３は、表示部６ｂ（タッチパネル２５等）における表示動作を制御する処理部である。表示制御部１３は、ＭＦＰ１０を操作するための操作画面等をタッチパネル２５に表示する。
【００４５】
ジョブ制御部１４は、ユーザによる設定内容（設定値）に基づくジョブの実行動作を制御する処理部である。
【００４６】
＜１−２．共同作業モードにおける表示画面等＞
ＭＦＰ１０は、作業モードとして、単一のユーザによる操作が行われる通常モード（単一ユーザ操作モード）と、複数のユーザによる操作（共同作業）が行われる共同作業モード（複数ユーザ操作モードとも称する）とを有している。作業モードの切換は、タッチパネル２５に表示される所定の切換画面（不図示）を用いて行われる。
【００４７】
通常モード（単一ユーザ操作モード）においては、図２４に示されるように、ＭＦＰ１０のタッチパネル２５において設定画面６１０が表示され、当該設定画面６１０を用いて単一ユーザ（たとえばユーザＵ１のみ）による操作が行われる。
【００４８】
一方、共同作業モードにおいては、図１５（〜図２１等）に示されるように、ＭＦＰ１０のタッチパネル２５において２つの設定画面３１０，３２０が同時に（並列的に）表示され、これらの設定画面３１０，３２０を用いて２人のユーザＵ１，Ｕ２による操作が行われる（後述するステップＳ１２〜Ｓ１７（図３）等も参照）。図１５においては、タッチパネル２５内の左半領域にユーザＵ１向けの設定画面３１０が表示され、タッチパネル２５内の右半領域にユーザＵ２向けの設定画面３２０が表示されている。換言すれば、ユーザＵ１向けの設定領域３１０とユーザＵ２向けの設定領域３２０とが、タッチパネル２５内にて左右方向に並べて配置された状態で同時並列的に表示される。なお、ユーザＵ１向けの設定画面３１０はユーザＵ１用の言語（日本語）で主に表示され、ユーザＵ２向けの設定画面３２０はユーザＵ２用の言語（英語）で主に表示される。
【００４９】
また、共同作業モードにおいては、各ユーザＵ１，Ｕ２向けの設定画面３１０，３２０を用いた設定操作が終了し、一方のユーザによりＭＦＰ１０のスタートボタン（不図示）が押下されると、各ユーザ向けの設定確認画面５１０，５２０が表示される（図６参照）。より詳細には、設定画面３１０を用いたユーザＵ１による各種の設定内容と設定画面３２０を用いたユーザＵ２による各種の設定内容との間に齟齬（不一致）が存在する場合に、タッチパネル２５にて設定確認画面５１０，５２０が表示される（後述するステップＳ２１〜Ｓ２５（図４）も参照）。なお、ユーザＵ１向けの設定画面５１０はユーザＵ１用の言語（日本語）で表示され、ユーザＵ２向けの設定画面５２０はユーザＵ２用の言語（英語）で表示される。
【００５０】
図６においては、タッチパネル２５内の左半領域にユーザＵ１向けの設定確認画面５１０が表示され、タッチパネル２５内の右半領域にユーザＵ２向けの設定確認画面５２０が表示されている。換言すれば、ユーザＵ１向けの設定確認領域５１０とユーザＵ２向けの設定確認領域５２０とが、タッチパネル２５内にて左右方向に並べて配置された状態で同時並列的に表示されている。
【００５１】
なお、設定確認画面５１０，５２０を含む表示領域全体（タッチパネル２５の表示領域全体）を、確認画面５００とも表現する。
【００５２】
ユーザＵ１は、当該ユーザＵ１向けの設定確認画面５１０を視認することによって、複数（ここでは３つ）の設定項目に関して両ユーザＵ１，Ｕ２による設定内容相互間での齟齬が発生していることを理解することができる。また、ユーザＵ２は、当該ユーザＵ２向けの設定確認画面５２０を視認することによって、複数（ここでは３つ）の設定項目に関して両ユーザＵ１，Ｕ２による設定内容相互間での齟齬が発生していることを理解することができる。その後、ユーザＵ１側の設定内容が変更されること、あるいはユーザＵ２側の設定内容が変更されることによって、当該齟齬が解消され得る。
【００５３】
より詳細には、スタートボタン押下後において、複数の設定項目（たとえば、数十個の設定項目）の中から、その設定内容が両ユーザＵ１，Ｕ２相互間で互いに異なる設定項目が検出される（後述するステップＳ２１〜Ｓ２３参照）。そして、検出された設定項目に関して、その設定内容（詳細には、ユーザごとの設定内容）が設定確認画面５００に表示される（ステップＳ２４も参照）。基本的には、ユーザＵ１側の設定内容が画面５１０に表示され、ユーザＵ２側の設定内容が画面５２０に表示される。
【００５４】
図６では、複数の設定項目（たとえば、数十個の設定項目）の中から、各ユーザによる設定内容が互いに異なる設定項目として、３つの設定項目（具体的には、「印刷出力面」、「カラー」、「ウォーターマーク」）が検出される場合が例示されている。
【００５５】
そして、検出された３つの設定項目に関する各設定内容（詳細には、ユーザごとの各設定内容）が設定確認画面５００に表示される。基本的には、ユーザＵ１側の設定内容が画面５１０に表示され、ユーザＵ２側の設定内容が画面５２０に表示される。また、ユーザＵ１向けの画面５１０における文字列はユーザＵ１向けの第１言語（たとえば日本語）で表現され、ユーザＵ２向けの画面５２０における文字列はユーザＵ２向けの第２言語（たとえば英語）で表現される。
【００５６】
より詳細には、設定項目「印刷出力面」に関して、ユーザＵ１側の設定内容「片面印刷」が日本語表記で画面５１０内のボタン領域５１３ａに表示され、ユーザＵ２側の設定内容「両面印刷」が英語表記（「Duplex」）で画面５２０内のボタン領域５２３ａに表示される。
【００５７】
また、設定項目「印刷出力色（カラー）」に関して、ユーザＵ１側の設定内容「ブラック」（日本語表記）が画面５１０内のボタン領域５１３ｂに表示され、ユーザＵ２側の設定内容「オートカラー」が英語表記「Auto Color」で画面５２０内のボタン領域５２３ｂに表示される。
【００５８】
同様に、設定項目「ウォーターマーク」に関して、ユーザＵ１側の設定内容「ウォーターマーク（オン）」が日本語表記で画面５１０内のボタン領域５１３ｃに表示されている。一方、画面５２０内のボタン領域５２３ｃ内における無表示状態（文字が表示されていない状態）によって、ユーザＵ２側の設定内容「ウォーターマーク（オフ）」（デフォルト値）が示されている。
【００５９】
さらに、各設定項目に対応するボタン領域５１３ａ，５１３ｂ，５１３ｃ，５２３ａ，５２３ｂ，５２３ｃは、各設定項目の設定内容に関する両ユーザＵ１，Ｕ２相互間での相違度合いに応じた色で表示されている。具体的には、上記３つの設定項目に関して、第１ユーザによる入力操作と第２ユーザによる入力操作との両入力操作のうちの一方のみが行われているときと双方が行われているときとで、各設定項目の設定内容に関する表示色として、互いに異なる色が用いられる。
【００６０】
具体的には、一の設定項目（たとえば、「印刷出力面」）に関して、上記両入力操作のうちの双方が行われているとき（換言すれば、両ユーザがそれぞれ（固有の意思で）設定内容を変更した結果、両ユーザによる設定内容の相互間に不一致が生じているとき）には、当該一の設定項目の設定内容に対応するボタン領域５１３ａ，５２３ａが赤色でそれぞれ表示される。各ユーザＵ１，Ｕ２は、赤色表示領域が存在することを視認すると、両ユーザの操作結果（設定内容）が齟齬している旨を判断できる。
【００６１】
別の設定項目（たとえば、「印刷出力色」）に関して、上記両入力操作のうちの双方が行われているときにも、同様に、当該設定項目（「印刷出力色」）の設定内容に対応するボタン領域５１３ｂ，５２３ｂが赤色でそれぞれ表示される。
【００６２】
一方、一の設定項目（たとえば、「ウォーターマーク」）に関して、上記両入力操作のうちの一方のみが行われているとき（換言すれば、両ユーザのうちの一方のみが（固有の意思で）設定内容を変更した結果、両ユーザによる設定内容の相互間に不一致が生じているとき）には、当該一の設定項目の設定内容に対応するボタン領域５１３ｃ，５２３ｃが赤色とは異なる色でそれぞれ表示される。
【００６３】
具体的には、２人のユーザＵ１，Ｕ２のうち、当該一の設定項目に関して変更操作を行ったユーザＵ１に対応するボタン領域５１３ｃは緑色で表示され、当該一の設定項目に関して変更操作を行っていないユーザＵ２に対応するボタン領域５２３ｃは青色で表示される。各ユーザＵ１，Ｕ２は、一の設定項目に関する緑色表示領域が存在することを視認すると、当該一の設定項目に関しては、自分のみが設定変更操作を行っており相手ユーザは設定変更操作を行っていない旨を判断することが可能である。また、一の設定項目に関する青色表示領域が存在することを視認すると、当該一の設定項目に関しては、相手のみが設定変更操作を行っており自分は設定変更操作を行っていない旨を判断することが可能である。
【００６４】
このように、各設定項目に関して、第１ユーザによる設定内容と第２ユーザによる設定内容との両内容が互いに異なる場合において、上記両入力操作のうちの一方のみが行われているときと双方が行われているときとで、互いに異なる態様による報知動作が実行される。
【００６５】
さらに、ユーザＵ１向けの設定確認画面５１０においては、当該ユーザＵ１による設定内容のみならず、別のユーザＵ２（相手側ユーザ）による設定内容もが表示される。すなわち、設定確認画面５１０においては、ユーザＵ１による設定内容とユーザＵ２による設定内容との双方が個別に表示される。同様に、ユーザＵ２向けの設定確認画面５２０においては、当該ユーザＵ２による設定内容のみならず、別のユーザＵ１（相手側ユーザ）による設定内容もが表示される。
【００６６】
また、ＭＦＰ１０においては、確認画面５００に関する表示モードとして、２つの表示モード（「１段階表示モード」および「２段階表示モード」）が設けられている。両表示モードの相互間においては、相手側ユーザによる設定内容の表示タイミングが異なっている。
【００６７】
「１段階表示モード」は、いずれかの設定項目に関してユーザＵ１による設定内容とユーザＵ２による設定内容との両内容が互いに異なる場合に、直ちに、相手側ユーザによる設定内容を自分向けの設定確認画面にも表示するモードである（図６参照）。
【００６８】
一方、「２段階表示モード」は、いずれかの設定項目に関してユーザＵ１による設定内容とユーザＵ２による設定内容との両内容が互いに異なる場合に、直ちには、相手側ユーザによる設定内容を自分向けの設定確認画面に表示しないモードである（図７〜図１４参照）。なお、図７〜図１３は、それぞれ各時点での表示態様を示す図である。一方、図１４は、２段階表示モードにおける表示態様を概念的に説明する図である。２段階表示モードにおける各ユーザ向けの設定確認画面は、初期状態において、複数の吹き出し画像（各設定項目に関する他ユーザの設定内容をそれぞれ示す複数の画像）のいずれをも未だ表示しない。その後、各ユーザの表示指示に応答して各吹き出し画像が表示される。
【００６９】
この第１実施形態では、「１段階表示モード」による確認画面５００（図６参照）について説明する。「２段階表示モード」による確認画面５００については第２実施形態にて説明する。
【００７０】
図６に示されるように、「１段階表示モード」においては、ユーザＵ１向けの設定確認画面５１０は、プレビュー画面５１１と、確認対象項目（確認作業の対象の設定項目）に関するユーザＵ１側の設定内容（ボタン領域５１３ａ，５１３ｂ，５１３ｃ参照）と、確認対象項目に関するユーザＵ２側の設定内容（吹き出し画像５１５ａ，５１５ｂ，５１５ｃ参照）とを、スタートボタンの押下に応答して直ちに表示する。換言すれば、設定確認画面５１０において、ユーザＵ１による設定内容のみならず、ユーザＵ２による設定内容もが直ちに表示される。ここで、確認対象項目は、ユーザＵ１，Ｕ２による確認を求めるべき項目である、とも表現される。確認対象項目は、後述するステップＳ２２〜Ｓ２４において決定される。
【００７１】
図６では、確認対象項目（ここでは、「印刷出力面」、「カラー」、「ウォーターマーク」）に関するユーザＵ１による設定内容として、「片面印刷」、「ブラック」、「ウォーターマーク（オン）」が各ボタン領域５１３ａ，５１３ｂ，５１３ｃにそれぞれ表示されている。
【００７２】
また、当該確認対象項目に関するユーザＵ２による設定内容として、「両面印刷」、「オートカラー」、「ウォーターマーク（オフ）」が、当該各ボタン領域５１３ａ，５１３ｂ，５１３ｃにそれぞれ対応づけられた吹き出し画像５１５ａ，５１５ｂ，５１５ｃ内に表示されている。
【００７３】
より詳細には、「他のユーザ（Ｕ２）が両面印刷を設定しました。」との文言が吹き出し画像５１５ａ内に表示されている。当該吹き出し画像５１５ａは、ユーザＵ１側の設定内容「片面印刷」を示すボタン領域５１３ａに対応づけられている。
【００７４】
また、「他のユーザ（Ｕ２）がオートカラーを設定しました。」との文言が吹き出し画像５１５ｂ内に表示されている。当該吹き出し画像５１５ｂは、ユーザＵ１側の設定内容「ブラック」を示すボタン領域５１３ｂに対応づけられている。
【００７５】
さらに、「あなただけがウォーターマークを設定しています。」との文言が吹き出し画像５１５ｃ内に表示されている。当該吹き出し画像５１５ｃは、ユーザＵ１側の設定内容「ウォーターマーク（オン）」を示すボタン領域５１３ｃに対応づけられている。
【００７６】
また、ユーザＵ１向けの設定確認画面５１０に関する吹き出し画像５１５ａ，５１５ｂ，５１５ｃ内の文字列は、当該ユーザＵ１向けの言語（たとえば日本語）で表示されている。
【００７７】
また、「１段階表示モード」においては、ユーザＵ２向けの設定確認画面５２０は、プレビュー画面５２１と、確認対象項目に関するユーザＵ２側の設定内容（ボタン領域５２３ａ，５２３ｂ，５２３ｃ参照）と、確認対象項目に関する相手ユーザＵ１側の設定内容（吹き出し画像５２５ａ，５２５ｂ，５２５ｃ参照）とを、スタートボタンの押下に応答して直ちに表示する。換言すれば、ユーザＵ２向けの設定確認画面５２０において、自ユーザＵ２による設定内容のみならず、他ユーザＵ１による設定内容もが直ちに表示される。
【００７８】
図６では、確認対象項目（ここでは、「印刷出力面」、「カラー」、「ウォーターマーク」）に関するユーザＵ２による設定内容として、「両面印刷」、「オートカラー」、「ウォーターマーク（オフ）」が各ボタン領域５２３ａ，５２３ｂ，５２３ｃにそれぞれ表示されている。
【００７９】
また、当該確認対象項目に関する他ユーザＵ１による設定内容として、「片面印刷」、「ブラック」、「ウォーターマーク（オン）」が、当該各ボタン領域５２３ａ，５２３ｂ，５２３ｃにそれぞれ対応づけられた吹き出し画像５２５ａ，５２５ｂ，５２５ｃ内に表示されている。また、ユーザＵ２向けの設定確認画面５２０に関する吹き出し画像５２５ａ，５２５ｂ，５２５ｃ内の文字列は、当該ユーザＵ２向けの言語（ここでは英語）で表示されている。
【００８０】
より詳細には、「他のユーザ（Ｕ１）が片面印刷を設定しました。」（より具体的には、英語表記「Anotheｒ user sets the page to simplex.」）の文言が吹き出し画像５２５ａ内に表示されている。当該吹き出し画像５２５ａは、ユーザＵ２による設定内容「両面印刷」を示すボタン領域５２３ａに対応づけられている。
【００８１】
また、「他のユーザ（Ｕ１）がブラックを設定しました。」（より具体的には、英語表記「Anotheｒ user sets the color to "black".」）の文言が吹き出し画像５２５ｂ内に表示されている。当該吹き出し画像５２５ｂは、ユーザＵ２による設定内容「オートカラー」を示すボタン領域５２３ｂに対応づけられている。
【００８２】
さらに、「他のユーザによってウォーターマークが設定されています。」（より具体的には、英語表記「Watermark is configured by another user.」）の文言が吹き出し画像５２５ｃ内に表示されている。当該吹き出し画像５２５ｃは、ユーザＵ２による設定内容「ウォーターマーク（オフ）」（デフォルト値）を示すボタン領域５２３ｃに対応づけられている。
【００８３】
このような設定確認画面５１０によれば、ユーザＵ１は、自分向けの設定画面３１０を用いたユーザＵ１自身による設定内容と他のユーザＵ２向けの設定画面３２０を用いた相手ユーザＵ２による設定内容との双方を認識することが可能である。同様に、このような設定確認画面５２０によれば、ユーザＵ２は、自分向けの設定画面３２０を用いたユーザＵ１自身による設定内容と他のユーザＵ１向けの設定画面３１０を用いた相手ユーザＵ１による設定内容との双方を認識することが可能である。
【００８４】
なお、「ユーザＵ１による設定内容」としては、ユーザＵ１自身による設定変更操作を伴って設定した内容とユーザＵ１自身による設定変更操作を伴わずにデフォルト値のまま放置した内容との２種類の設定内容が存在する。同様に、「ユーザＵ２による設定内容」としては、ユーザＵ２自身による設定変更操作を伴って設定した内容とユーザＵ２自身による設定変更操作を伴わずにデフォルト値のまま放置した内容との２種類の設定内容が存在する。
【００８５】
＜１−３．動作＞
図３および図４は、ＭＦＰ１０の動作を示すフローチャートである。
【００８６】
ここでは、２人のユーザＵ１，Ｕ２がＭＦＰ１０のタッチパネル２５を共用して、ＭＦＰ１０のコピージョブに関する設定操作等を行う状況を想定する。また、図３のフローチャートの実行前において、各ユーザＵ１，Ｕ２がＭＦＰ１０にログインしているとともに、所定の切換画面（不図示）等を用いて作業モードが共同作業モードへと予め切り替えられているものとする。
【００８７】
図３のステップＳ１１において、ＭＦＰ１０は、作業モードが共同作業モードに設定されている旨を判定すると、ステップＳ１２に進む。
【００８８】
ステップＳ１２において、ＭＦＰ１０は、各ログインユーザＵ１，Ｕ２のユーザ情報（使用言語の情報等を含む）に基づき、各ユーザＵ１，Ｕ２に関する表示用言語（タッチパネル２５におけるユーザごとの表示用言語）を決定（特定）する。
【００８９】
たとえば、ユーザＵ１の使用言語は日本語である旨がユーザ情報に基づいて判定される場合、ユーザＵ１向けの表示用言語は日本語である旨が決定される。同様に、ユーザＵ２の使用言語は英語である旨がユーザ情報に基づいて判定される場合、ユーザＵ２向けの表示用言語は英語である旨が決定される。この場合、以後のユーザＵ１向けの各画面（３１０，５１０等）は日本語で表示され、以後のユーザＵ２向けの各画面（３２０，５２０等）は、英語で表示される。
【００９０】
ステップＳ１３においては、まず設定画面３００（図１５）が表示される。設定画面３００は、ユーザＵ１向けの設定画面３１０とユーザＵ２向けの設定画面３２０とを含む画面である。ユーザＵ１向けの設定画面３１０はユーザＵ１向けの表示用言語（たとえば日本語）で表示され、ユーザＵ２向けの設定画面３２０はユーザＵ２向けの表示用言語（たとえば英語）で表示される。
【００９１】
その後、ユーザＵ１が当該ユーザＵ１向けの設定画面３１０を用いて設定処理を実行し、ユーザＵ２が当該ユーザＵ２向けの設定画面３２０を用いて設定処理を実行する。そして、設定操作後において、一方のユーザによりＭＦＰ１０のスタートボタン（不図示）が押下されると、ステップＳ１７からステップＳ２１に進む。以下、ステップＳ２１以後の動作（確認画面５００を用いた確認表示動作等）について説明する。
【００９２】
ステップＳ２１においては、ＭＦＰ１０は、設定画面３００から設定確認画面５００（図６参照）への切換準備の実行を決定する。
【００９３】
次のステップＳ２２においては、ＭＦＰ１０に関する複数の設定項目（たとえば、数十個の設定項目）の中から、各ユーザによる設定内容が互いに異なる設定項目（非合致項目とも称する）が検出される。
【００９４】
複数の設定項目のうちのいずれの設定項目に関しても、ユーザＵ１による設定内容とユーザＵ２による設定内容とが同一である旨が判定されると、ステップＳ２５に進む。
【００９５】
一方、複数の設定項目のうちの少なくとも１つの設定項目に関して、ユーザＵ１による設定内容とユーザＵ２による設定内容とが互いに異なる旨が判定されると、ステップＳ２３に進む。換言すれば、複数の設定項目の中から非合致項目が検出される場合、ステップＳ２３に進む。
【００９６】
ステップＳ２３では、各非合致項目に関する相違度合いが決定される。具体的には、非合致項目に関して、ユーザＵ１による入力操作とユーザＵ２による入力操作との両入力操作のうちの一方のみが行われている場合には、当該両入力操作のうちの双方が行われている場合よりも、当該非合致項目に関する相違度合いは小さい、と判断される。
【００９７】
具体的には、当該両入力操作のうちの双方が行われている場合には、相違度合いは最も大きな度合い（相違レベルＬ１）であると判定される。換言すれば、ユーザＵ１による設定入力操作を伴う設定内容とユーザＵ２による設定入力操作を伴う設定内容との両設定内容が互いに異なる場合には、両ユーザＵ１，Ｕ２の意思が一致しておらず、相違度合いは最大の相違レベルＬ１である旨が判定される。
【００９８】
当該両入力操作のうちの一方のみが行われているときには、相違度合いは比較的小さな度合い（相違レベルＬ２）であると判定される。換言すれば、一方のユーザのみが設定入力操作を実行した結果、ユーザＵ１による設定内容とユーザＵ２による設定内容とが互いに異なっている場合には、一方のユーザの意思と他方のユーザの意思とが一致しているか否かが不明である。このような事情を考慮して、相違度合いは「レベルＬ２」（＜Ｌ１）である旨が判定される。
【００９９】
ステップＳ２４では、ＭＦＰ１０は、確認画面５００を表示（更新表示）する。具体的には、ＭＦＰ１０のコントローラ９は、確認画面５００（図６）の表示用データを生成して、当該表示用データに基づき確認画面５００をタッチパネル２５に表示する。
【０１００】
ユーザは、このような確認画面５００を視認した後、設定内容の修正動作等（後述）を行うことが可能である。
【０１０１】
確認画面５００を視認して非合致項目の存在に気づいたユーザＵ１および／またはユーザＵ２によって設定変更操作が行われると、変更後の設定内容に基づき設定確認画面５１０，５２０の更新処理等（ステップＳ２２〜Ｓ２５）が行われる。確認画面５００内にて赤色で示されていた齟齬（相違レベルＬ１の不一致）が少なくとも解消した後に、再びスタートボタンが押下されると、ＭＦＰ１０は、設定完了を判定し（ステップＳ２５でＹＥＳ）、ユーザＵ１，Ｕ２による設定内容に基づくジョブ（コピージョブ等）を開始する。
【０１０２】
上述のステップＳ２４において確認画面５００が表示された後においては、次のような設定内容の修正動作等が実行される。
【０１０３】
相違レベルＬ１の非合致項目に関しては、少なくとも一方のユーザが自らの設定内容を変更すること等によって、設定内容の競合状態が解消され得る。
【０１０４】
たとえば、設定項目「印刷出力面」が相違レベルＬ１の非合致項目である場合、ユーザＵ２が画面５２０内のボタン領域５２３ａを押下すると、設定項目「印刷出力面」に関する設定画面が表示される。ユーザＵ２は、当該設定画面を利用して設定内容を変更（「片面」（Simplex）に変更等）することが可能である。あるいは、ユーザＵ１が、画面５１０内のボタン領域５１３ａを押下して設定項目「印刷出力面」に関する設定画面を表示させ、当該設定画面を利用して設定内容を変更（「両面」に変更等）することも可能である。このような設定変更操作後に、ＭＦＰ１０は、ステップＳ２２〜Ｓ２５の処理を再び実行し、当該設定項目に関する設定内容の競合状態が解消されたことを判定する。なお、上述したように、相違レベルＬ１の不一致が解消するまではジョブは開始されない。
【０１０５】
また、相違レベルＬ２の非合致項目に関しては、設定操作を行った一方のユーザＵ１とは異なる他のユーザＵ２が、その設定内容を確認する。相違レベルＬ２の非合致項目の設定内容を当該他のユーザＵ２が承認する場合には、当該設定内容がそのまま維持される。
【０１０６】
たとえば、設定項目「ウォーターマーク」が相違レベルＬ２の非合致項目である場合、ユーザＵ２が、青色のボタン領域５２３ａの存在（相手ユーザのみが設定変更操作を行った設定項目の存在）に気付くと、相手ユーザＵ１による設定内容をも確認する。ユーザＵ２が当該相手ユーザＵ１による設定内容を承認する場合には、ユーザＵ２は承認操作（スタートボタンの再押下操作（あるいは、ボタン領域５２３ａの長押し操作（ロングタップ操作）ないし専用の承認ボタン（不図示）の押下操作等））を実行する。ユーザＵ２が相違レベルＬ２の不一致を承認して承認操作（スタートボタンの再押下等）を実行するとステップＳ２２〜Ｓ２５の処理が再び実行される。そして、相違レベルＬ１の非合致項目が残存していないことを条件に設定内容が確定されてジョブが開始される。なお、これに限定されず、ユーザＵ２が、画面５２０内のボタン領域５２３ｃを押下して設定項目「ウォーターマーク」に関する設定画面を表示させ、当該設定画面を利用して設定内容を変更（「オン」に変更等）し、ユーザＵ２による設定内容をユーザＵ１による設定内容に合致させることも可能である。
【０１０７】
一方、相違レベルＬ２の非合致項目の設定内容を当該他のユーザＵ２が承認しない場合には、一のユーザＵ２（或いはＵ１）は、設定画面３２０等を用いて当該非合致項目の設定内容を別の内容に変更して自らの意思を他ユーザに示すことなどによって意思疎通を図り、両ユーザ相互間で協議して最終的な設定内容を決定する。
【０１０８】
たとえば、設定項目「ウォーターマーク」が相違レベルＬ２の非合致項目である場合、ユーザＵ２は、当該相手ユーザＵ１による設定内容を承認しないときには、非承認動作を実行する。具体的には、ユーザＵ２は、画面５２０内のボタン領域５２３ｃを押下して設定項目「ウォーターマーク」に関する設定画面を表示させ、当該設定画面を利用して設定内容を変更（「オフ」に変更等）する。あるいは、ボタン領域５２３ｃをダブルタップする動作（ないし当該設定項目に関する非承認ボタン（不図示）の押下操作等）が、非承認動作として実行されてもよい。このような非承認動作に応じて、ステップＳ２２〜Ｓ２５の処理が再び実行されると、設定項目「ウォーターマーク」が相違レベルＬ１の非合致項目であることが判定され、ユーザＵ１向けの設定確認画面５１０内のボタン領域５１３ｃが赤色表示に変更される。このような表示によって、ユーザＵ１は、ユーザＵ２の意思を把握することができる。その後、相違レベルＬ１の非合致項目「ウォーターマーク」について、上述のようにユーザＵ１あるいはユーザＵ２が自らの設定内容を変更することによって、その競合状態が解消されればよい。
【０１０９】
以上のような動作によれば、ユーザＵ１向けの設定確認画面５１０（図６参照）において、ユーザＵ１による設定内容とユーザＵ２による設定内容とが表示（報知）される（ステップＳ２４）ので、ユーザＵ１の自らの所望の設定内容と他者であるユーザＵ２の所望の設定内容とをユーザＵ１が認識することが可能である。したがって、画像形成装置に関する設定作業を複数の作業者によって良好に実行することが可能である。
【０１１０】
また、ユーザＵ２向けの設定確認画面５２０（図６参照）において、ユーザＵ２による設定内容とユーザＵ１による設定内容とが表示される（ステップＳ２４）ので、ユーザＵ２の自らの所望の設定内容と他者であるユーザＵ１の所望の設定内容とをユーザＵ２が認識することが可能である。したがって、画像形成装置に関する設定作業を複数の作業者によってさらに良好に実行することが可能である。
【０１１１】
また、一の設定項目に関して、ユーザＵ１による設定内容とユーザＵ２による設定内容との両内容が互いに異なる場合、当該一の設定項目に関して当該両内容が互いに異なることが報知される（「相違発生表示」が実行される）。詳細には、複数の設定項目の中に、両ユーザＵ１，Ｕ２による設定内容が互いに合致していない設定項目（非合致項目）が存在する場合、設定確認画面５１０（および５２０）のボタン領域５１３内に当該非合致項目（図６では３つの設定項目）に関する事項が表示される。これによれば、ユーザは非合致項目の存在を容易に認識することができる。
【０１１２】
特に、（設定内容表示領域である）ボタン領域（５１３等）に対して通常色（白色等）とは異なる色（赤色、緑色、青色）が付されることによって、非合致項目の存在が報知される。したがって、ユーザは、確認すべき事項が発生している旨を容易に知得することができる。
【０１１３】
また、各ボタン領域（５１３等）には、対応する設定項目の相違の度合いに応じた異なる色が付される。換言すれば、ユーザＵ１による設定内容とユーザＵ２による設定内容との両内容が互いに異なる場合において、一の設定項目に関して、ユーザＵ１による入力操作とユーザＵ２による入力操作との両入力操作のうちの一方のみが行われているときと双方が行われているときとで、互いに異なる態様の報知動作が実行される（詳細には、互いに異なる色で表示される）。したがって、各ユーザは、両入力操作のうちの一方のみが行われているのか双方が行われているのかを容易に判別するとともに、その判別結果に応じた適切な確認作業を実行することが可能である。また、当該両入力操作のうちの一方のみが行われた設定項目と当該両入力操作のうちの双方が行われた設定項目とが、互いに異なる色で表示されるので、設定に関する相違の度合いを直感的に把握することが可能である。
【０１１４】
より詳細には、或る非合致項目（「ウォーターマーク」等）に関し両ユーザのうちの一方のユーザのみによる設定操作によって非合致が生じている場合には、当該非合致項目は緑色（および青色）で表示される。換言すれば、一の設定項目に関して、設定画面３１０を用いたユーザＵ１による設定変更操作は行われず且つ設定画面３２０を用いたユーザＵ２による設定変更操作が行われた場合、当該一の設定項目に関して両ユーザＵ１，Ｕ２のうちのユーザＵ２のみによる設定変更が行われたことが各画面５１０，５２０にて報知される（「単独変更発生表示」が実行される）。これによれば、各ユーザは、一方のユーザのみによる変更が行われた設定項目の存在を認識することができる。
【０１１５】
一方、別の非合致項目（「印刷出力面」等）に関し両ユーザのうちの双方のユーザによる設定操作によって非合致が生じている場合には、当該非合致項目は赤色で表示される。換言すれば、一の設定項目に関して、設定画面３１０を用いたユーザＵ１の入力操作によって変更された設定内容と設定画面３２０を用いたユーザＵ２の入力操作によって変更された設定内容との両内容が競合（矛盾）する場合（合致しない場合）、当該一の設定項目に関して当該両内容が競合していることが各画面５１０，５２０にて報知される（「競合発生表示」が実行される）。これによれば、各ユーザは、両ユーザによる設定変更内容が互いに相違している設定項目の存在を認識することができる。
【０１１６】
また、非合致項目に関して、ユーザＵ１による設定内容（ボタン領域５１３ａ内の文字列等を参照）とユーザＵ２による設定内容（吹き出し画像５１５ａ内の文字列等を参照）とのいずれもが一方のユーザ（たとえばＵ１）向けの設定確認画面（たとえば画面５１０）に表示されるので、当該一方のユーザは、齟齬の内容（どのような齟齬が発生しているのか）を容易に把握することが可能である。なお、他方のユーザ（たとえばＵ２）向けの設定確認画面についても同様である。
【０１１７】
さらに、ユーザＵ１向けの設定確認画面５１０においては、ユーザＵ１による設定内容とユーザＵ２による設定内容とのいずれもがユーザＵ１向けの言語で表示される。特に、ユーザＵ１向けの設定確認画面５１０において、或る設定項目に関して、ユーザＵ１による設定内容と他のユーザＵ２による設定内容との両内容が互いに異なる場合、他のユーザＵ２による設定内容がユーザＵ１の使用言語（第１言語）で表示される。したがって、ユーザＵ１は、自身の使用言語で表現された設定内容に基づき、齟齬の内容を容易に認識することが可能である。
【０１１８】
同様に、ユーザＵ２向けの設定確認画面においては、ユーザＵ１による設定内容とユーザＵ２による設定内容とのいずれもがユーザＵ２向けの言語で表示される。特に、ユーザＵ２向けの設定確認画面５２０において、或る設定項目に関して、ユーザＵ２による設定内容と他のユーザＵ１による設定内容との両内容が互いに異なる場合、他のユーザＵ１による設定内容がユーザＵ２の使用言語（第２言語）で表示される。したがって、ユーザＵ２は、自身の使用言語で表現された設定内容に基づき、齟齬の内容を容易に認識することが可能である。
【０１１９】
＜２．第２実施形態＞
第２実施形態は、第１実施形態等の変形例である。以下では、第１実施形態との相違点を中心に説明する。
【０１２０】
上記第１実施形態では、設定確認画面５１０，５２０が１段階表示モードで表示される態様について説明した。なお、「１段階表示モード」は、いずれかの設定項目に関してユーザＵ１による設定内容とユーザＵ２による設定内容との両内容が互いに異なる場合に、直ちに、相手側ユーザによる設定内容を自分向けの設定確認画面にも表示するモードである（図６参照）。
【０１２１】
この第２実施形態では、設定確認画面５１０，５２０が「２段階表示モード」で表示される態様について説明する。
【０１２２】
「２段階表示モード」は、いずれかの設定項目に関してユーザＵ１による設定内容とユーザＵ２による設定内容との両内容が互いに異なる場合に、自分向けの設定確認画面において自ユーザによる設定内容を表示する一方で、（自分向けの設定確認画面において）直ちには相手側ユーザによる設定内容を表示しないモードである（図７参照）。相手側ユーザによる設定内容は、各ユーザの表示指示に応答して、各吹き出し画像を用いて表示される（図８〜図１３参照）。「２段階表示モード」の設定確認画面５１０においては、相手側ユーザＵ２による設定内容は、（各設定項目に関連付けられた）マーク５１７（図７参照）に対する自ユーザＵ１による操作が受け付けられたときのみ表示される。同様に、「２段階表示モード」の設定確認画面５２０においては、相手側ユーザＵ１による設定内容は、（各設定項目に関連付けられた）マーク５２７（図７参照）に対する自ユーザＵ２による操作が受け付けられたときのみ表示される。なお、図７〜図１３は、それぞれ各時点での表示態様を示す図である。図１４は、２段階表示モードにおける表示態様を概念的に説明する図である。
【０１２３】
より具体的には、２段階表示モードにおける各ユーザ向けの設定確認画面５１０，５２０は、初期状態において、複数の吹き出し画像（各設定項目に関する他ユーザの設定内容をそれぞれ示す複数の画像）のいずれをも未だ表示しない（図７）。なお、図１４においては破線で示される吹き出し画像は、図７に示されるように初期時点では表示されない。その後、各ユーザの表示指示に応答して、表示指示に対応する吹き出し画像のみが表示される（図８〜図１３参照）。
【０１２４】
「２段階表示モード」においては、いずれかの設定項目（非合致項目）に関してユーザＵ１による設定内容とユーザＵ２による設定内容との両内容が互いに異なる場合、図７に示される設定確認画面５１０，５２０が先ず表示される。具体的には、設定確認画面５１０においては、非合致項目に関して、ユーザＵ１による設定内容とユーザＵ２による設定内容との両内容が互いに異なることを示すマーク５１７ａ，５１７ｂ，５１７ｃが、ユーザＵ１の設定内容とともに表示される。また、設定確認画面５２０においては、非合致項目に関して、ユーザＵ１による設定内容とユーザＵ２による設定内容との両内容が互いに異なることを示すマーク５２７ａ，５２７ｂ，５２７ｃが、ユーザＵ２の設定内容とともに表示される。また、詳細には、赤色で表示されたボタン領域５１３ａ，５１３ｂ，５２３ａ，５２３ｂの右横には「！」マーク（エクスクラメーションマーク）５１７ａ，５１７ｂ，５２７ａ，５２７ｂがそれぞれ表示され、緑色あるいは青色で表示されたボタン領域５１３ｃ，５２３ｃの右横には「？」マーク（クエスチョンマーク）が５１７ｃ，５２７ｃがそれぞれ表示される。
【０１２５】
その後、各ユーザの表示指示に応答して、表示指示に対応する吹き出し画像のみが表示される（図８〜図１３参照）。
【０１２６】
たとえば、ユーザＵ１がボタン領域５１３ａの横のエクスクラメーションマーク５１７ａ（図７）に対するタッチ操作（タップ操作等）を行うと、図８に示すような吹き出し画像５１５ａが設定確認画面５１０に表示される。吹き出し画像５１５ａには、他のユーザＵ２の設定内容（「両面印刷」）等を示す文字列「他のユーザが両面印刷を設定しました。」が含まれている。
【０１２７】
また、ユーザＵ２がボタン領域５２３ａの横のエクスクラメーションマーク５２７ａ（図７）に対するタッチ操作（タップ操作等）を行うと、図９に示すような吹き出し画像５２５ａが設定確認画面５２０に表示される。吹き出し画像５２５ａには、他のユーザＵ１の設定内容（「片面印刷」）等を示す文字列「Another user sets the page to simplex.」（他のユーザが「片面印刷」を設定しました。）が含まれている。
【０１２８】
なお、上述のように、ユーザＵ１向けの設定画面５１０はユーザＵ１用の言語（日本語）で表示され、ユーザＵ２向けの設定画面５２０はユーザＵ２用の言語（英語）で表示される。
【０１２９】
また、ユーザＵ１がボタン領域５１３ｂの横のエクスクラメーションマーク５１７ｂ（図７）に対するタッチ操作（タップ操作等）を行うと、図１０に示すような吹き出し画像５１５ｂが設定確認画面５１０に表示される。吹き出し画像５１５ｂには、他のユーザＵ２の設定内容（「オートカラー」）等を示す文字列「他のユーザがオートカラーを設定しました。」が含まれている。
【０１３０】
さらに、ユーザＵ２がボタン領域５２３ｂの横のエクスクラメーションマーク５２７ｂ（図７）に対するタッチ操作（タップ操作等）を行うと、図１１に示すような吹き出し画像５２５ｂが設定確認画面５２０に表示される。吹き出し画像５２５ｂには、他のユーザＵ１の設定内容（「ブラック」）等を示す文字列「Another user sets the color to black.」（他のユーザが「ブラック」を設定しました。）が含まれている。
【０１３１】
同様に、ユーザＵ１がボタン領域５１３ｃの横のエクスクラメーションマーク５１７ｃ（図７）に対するタッチ操作（タップ操作等）を行うと、図１２に示すような吹き出し画像５１５ｃが設定確認画面５１０に表示される。吹き出し画像５１５ｃには、自分（ユーザＵ１）のみがウォーターマークの設定を変更した旨（詳細には、「オン」に設定した旨）等を示す文字列「あなただけがウォーターマークを設定しています。」が含まれている。
【０１３２】
さらに、ユーザＵ２がボタン領域５２３ｃの横のエクスクラメーションマーク５２７ｃ（図７）に対するタッチ操作（タップ操作等）を行うと、図１３に示すような吹き出し画像５２５ｃが設定確認画面５２０に表示される。吹き出し画像５２５ｃには、他のユーザＵ１のみがウォーターマークの設定を変更した旨（詳細には、「オン」に設定した旨）等を示す文字列「Watermark is configured by another user.」（他のユーザのみがウォーターマークを設定しています。）が含まれている。
【０１３３】
このような態様によれば、ユーザは、各非合致項目に関する相手ユーザによる設定情報を、アイコンに対する自らのタッチ操作（表示指示操作）に応答して表示させることができる。したがって、各画面５１０，５２０内の表示領域を有効に利用することができる。より詳細には、各画面内に一度に表示される情報を抑制し、見易い表示を実現することが可能である。
【０１３４】
なお、第１実施形態では専ら「１段階表示モード」が採用される態様が例示され、第２実施形態では専ら「２段階表示モード」が採用される態様が例示されているが、これに限定されない。たとえば、ユーザによる表示モード設定変更操作に応じて、表示モードが「１段階表示モード」と「２段階表示モード」との間で切り替えられてもよい。この場合には、ステップＳ２４において、図５に示すような動作が実行されればよい。具体的には、表示モードがステップＳ３１で判定される。
【０１３５】
表示モードが「１段階表示モード」に設定されている場合には、ステップＳ３３にて、第１実施形態（詳細にはそのステップＳ２４）と同様の表示動作が行われる。一方、表示モードが「２段階表示モード」に設定されている場合には、ステップＳ３２にて、第２実施形態（詳細にはそのステップＳ２４）と同様の表示が行われる。
【０１３６】
＜３．第３実施形態＞
第３実施形態は、第１実施形態等の変形例である。以下では、第１実施形態との相違点を中心に説明する。
【０１３７】
上記第１実施形態および第２実施形態では、確認画面５００（各設定確認画面５１０，５２０）において、他ユーザによる設定内容が表示されているが、これに限定されない。たとえば、設定画面３００（各設定画面３１０，３２０）において、他ユーザによる設定内容が表示されてもよい。第３実施形態においては、このような態様について説明する。より詳細には、確認画面５００（設定確認画面５１０，５２０）と設定画面３００（設定画面３１０，３２０）とのそれぞれにおいて、他ユーザによる設定内容が表示される態様について説明する。なお、これに限定されず、設定画面３００（設定画面３１０，３２０）においてのみ、他ユーザによる設定内容が表示されてもよい。
【０１３８】
図２２は、第３実施形態に係るＭＦＰ１０の動作（一部）を示すフローチャートである。第３実施形態においては、図３の動作の代わりに図２２の動作が実行される。図４の動作は、第１実施形態と同様に実行される。
【０１３９】
図２２と図３（第１実施形態に係るＭＦＰ１０の動作を示すフローチャート）とを比較すると判るように、第３実施形態においては、ステップＳ１４〜Ｓ１７の動作がさらに実行される。以下、ステップＳ１４〜Ｓ１７の動作を中心に説明する。
【０１４０】
上述したように、ステップＳ１３においては、図１５の設定画面３００がタッチパネル２５に表示されるとともに、当該設定画面３００に対する設定操作の受付（換言すれば、設定作業の監視動作）が開始される。
【０１４１】
その後、ステップＳ１４では、各設定項目に関して、ユーザＵ１の設定内容とユーザＵ２の設定内容とが異なっているか否かが判定される。そして、いずれかの設定項目に関して、両ユーザＵ１，Ｕ２の設定内容が互いに異なっている場合には、ステップＳ１５に進む。なお、いずれかの設定項目に関しても、両ユーザＵ１，Ｕ２の設定内容が同じである場合には、ステップＳ１７に進む。
【０１４２】
ステップＳ１５では、両ユーザＵ１，Ｕ２の設定内容が互いに異なっている設定項目（非合致項目）の相違度合いが決定される。具体的には、各非合致項目の相違度合いが相違レベルＬ１，Ｌ２のいずれであるかが決定される。
【０１４３】
ステップＳ１６では、各設定画面３００の設定内容が、ステップＳ１４，Ｓ１５における判定結果および決定内容等に基づき変更される。
【０１４４】
その後、ステップＳ１７でスタートボタンが押下されたことが判定されない場合には、再びステップＳ１４に戻り、同様の動作が繰り返される。なお、ステップＳ１７でスタートボタンが押下されたことが判定される場合には、ステップＳ２１（図４）に進む。
【０１４５】
ステップＳ１４〜Ｓ１７の動作に応じて、図１５〜図２０に示すような表示内容の変遷が生じ得る。図１５〜図２０においては、設定画面３００においてカラー設定が変更される態様が例示されている。具体的には、設定項目「カラー（印刷出力色）」がデフォルト値（ここでは設定内容「フルカラー」）に設定されている状態から、ユーザＵ１によって設定内容「ブラック」への変更操作が受け付けられるとともに、ユーザＵ２によって設定内容「オートカラー」への変更操作が受け付けられる様子が順次に示されている。
【０１４６】
まず、図１５の設定画面３００では、上述のように、ユーザＵ１向けの設定画面３１０とユーザＵ２向けの設定画面３２０とが左右方向に並んで配置されている。
【０１４７】
たとえば、図１５の設定画面３００において、ユーザＵ１が左側の設定画面３１０内の設定項目「カラー」に関する詳細設定画面の呼出ボタン３３２を押下すると、図１６に示されるように、設定画面３１０内にポップアップ画面３５０が表示される。ポップアップ画面３５０は、設定項目「カラー（印刷出力色）」に関する詳細設定画面であり、設定項目「カラー」に関する複数（ここでは５つ）の選択肢３５１〜３５５（「オートカラー」、「フルカラー」、「ブラック」、「２色カラー」、「単色カラー」）を有している。
【０１４８】
選択肢「ブラック」３５３がユーザＵ１によって選択されると、図１７のような設定画面３００が表示される。具体的には、ユーザＵ１によって選択された選択肢「ブラック」３５３が強調表示（太い黒枠で表示）されている。また、共同作業モードにおける２人のユーザＵ１，Ｕ２のうちの自ユーザＵ１による設定内容であることを示すアイコン３７１が選択肢３５３の直近位置（右横位置）に表示されている。さらに、選択肢３５３は、ユーザＵ１向けの言語（日本語）で表記されるとともに、他方のユーザＵ２向けの言語（英語）でも表記されている。具体的には、選択肢３５３内には「ブラック／Black」の文字列が配置されている（両言語による文字列が併記されている）。
【０１４９】
また、他方のユーザＵ２が設定画面３２０内の設定項目「カラー」に関する詳細設定画面の呼出ボタン３４２を押下すると、図１８に示されるように、設定画面３２０内にポップアップ画面３６０が表示される。ポップアップ画面３６０は、ポップアップ画面３５０と同様に、設定項目「カラー（印刷出力色）」に関する詳細設定画面である。ポップアップ画面３６０は、設定項目「カラー」に関する複数（ここでは５つ）の選択肢３６１〜３６５（選択肢３５１〜３５５とそれぞれ同じ設定内容）を有している。ただし、これらの選択肢３６１〜３６５は、ユーザＵ２向けの言語（英語）で表記されている（「Auto Color」、「Full Color」、「Black」、「2 color」、「Single Color」）。
【０１５０】
ユーザＵ２向けの設定画面３２０に対するポップアップ画面３６０内では、デフォルト値（「フルカラー」）が強調表示（太い黒枠で表示）されている。設定項目「カラー」に関してユーザＵ２による操作が未だなされていないこの時点（図１８参照）では、デフォルト値（「フルカラー」）がユーザＵ２による設定内容であり、当該設定内容に対応する選択肢が強調表示されている。
【０１５１】
また、設定画面３２０（詳細にはポップアップ画面３６０）内では、選択肢３６３が破線で囲まれて表示されている。ポップアップ画面３６０内の選択肢「ブラック」３６３は、ユーザＵ１によって設定画面３１０にて選択された選択肢「ブラック」３５３に対応する選択肢（実質的に同じ選択肢）である。選択肢「ブラック」が相手ユーザによって選択されている旨が破線表示によって示されている。さらに、ポップアップ画面３６０内では、アイコン３８１が選択肢３６３の直近位置（右横位置）に表示されている。「相手（Other）」の文言を含むアイコン３８１は、共同作業モードにおける２人のユーザＵ１，Ｕ２のうちの他ユーザ（Ｕ１）による設定内容であることを示すアイコンである。これにより、選択肢３６３に対応する設定内容「ブラック」が共同作業モードにおける２人のユーザＵ１，Ｕ２のうちの他ユーザＵ１によって設定されていること、が示されている。また、ポップアップ画面３６０内の選択肢３６３は、ユーザＵ２向けの言語（英語）で表記されるとともに、他方のユーザＵ１向けの言語（日本語）でも表記されている。具体的には、選択肢３６３内には「Black／ブラック」の文字列が配置されている。
【０１５２】
その後、ユーザＵ２がポップアップ画面３６０内の選択肢「オートカラー」３６１を選択すると、図１９に示されるような設定画面３００が表示される。
【０１５３】
具体的には、当該設定画面３００（詳細には、設定画面３２０内のポップアップ画面３６０）においては、ユーザＵ２によって選択された選択肢「オートカラー」３６１が強調表示（太い黒枠で表示）される。また、共同作業モードにおける２人のユーザＵ１，Ｕ２のうちの自ユーザＵ２による設定内容であることを示すアイコン３８２（「あなた」の文言を含む）が選択肢３６１の直近位置（右横位置）に表示されている。さらに、選択肢３６１は、ユーザＵ２向けの言語（英語）で表記されるとともに、他方のユーザＵ１向けの言語（日本語）でも表記されている。具体的には、選択肢３６１内には「Auto Color／オートカラー」の文字列が配置されている。
【０１５４】
さらに、図１９の設定画面３１０においては、選択肢「オートカラー」３５１が破線で囲まれて表示されている。設定画面３１０（詳細にはポップアップ画面３５０）内の選択肢「オートカラー」３５１は、ユーザＵ２によって設定画面３２０にて選択された選択肢３６１に対応する選択肢（実質的に同じ選択肢）である。また、共同作業モードにおける２人のユーザＵ１，Ｕ２のうちの他ユーザＵ２による設定内容であることを示すアイコン３７２（「相手」の文言を含む）が選択肢３５１の直近位置（右横位置）に表示されている。さらに、選択肢３５１は、ユーザＵ１向けの言語（日本語）で表記されるとともに、他方のユーザＵ２向けの言語（英語）でも表記されている。具体的には、選択肢３５１内には「オートカラー／Auto Color」の文字列が配置されている。
【０１５５】
その後、各ユーザＵ１，Ｕ２による各ＯＫボタン３５９，３６９の押下に応答して、図２０の設定画面３００に遷移する。具体的には、ユーザＵ１向けの設定画面３１０においてはユーザＵ１による設定内容「ブラック」がボタン３３２内に表示され、ユーザＵ２向けの設定画面３２０においてはユーザＵ２による設定内容「オートカラー」がボタン３４２内に表示される。この際、両ボタン３３２，３４２は、いずれも赤色で表示されている。両ユーザＵ１，Ｕ２は、この赤色表示を視認することによっても、それぞれ、自分が設定した設定内容と他ユーザによる設定内容とが異なる旨を知得することが可能である。
【０１５６】
なお、他の設定項目（「印刷出力面」、「ウオーターマーク」、...）に関しても同様の動作が実行される。図２１は、「印刷出力面」等に関する設定操作後の設定画面３１０，３２０を示す図である。図２１においては、ユーザＵ１によって「片面印刷」が設定され、且つ、ユーザＵ２によって「両面印刷」（２Side）が設定された後の表示状態が示されている。
【０１５７】
以上のような動作によれば、設定確認画面５１０，５２０を視認するよりも前の段階で、設定画面３１０，３２０を視認することが可能である。
【０１５８】
そして、ユーザＵ１向けの設定画面３１０（図１８および図１９等参照）において、ユーザＵ１による設定内容とユーザＵ２による設定内容とが表示されるので、ユーザＵ１の自らの所望の設定内容と他者であるユーザＵ２の所望の設定内容とをユーザＵ１が認識することが可能である。したがって、画像形成装置に関する設定作業を複数の作業者によって良好に実行することが可能である。
【０１５９】
また、ユーザＵ２向けの設定画面３２０（図１８および図１９等参照）において、ユーザＵ２による設定内容とユーザＵ１による設定内容とが表示されるので、ユーザＵ２の自らの所望の設定内容と他者であるユーザＵ１の所望の設定内容とをユーザＵ２が認識することが可能である。したがって、画像形成装置に関する設定作業を複数の作業者によってさらに良好に実行することが可能である。
【０１６０】
また、一の設定項目に関して、ユーザＵ１による設定内容とユーザＵ２による設定内容との両内容が互いに異なる場合、当該一の設定項目に関して当該両内容が互いに異なることが報知される（「相違発生表示」が実行される）。詳細には、複数の設定項目の中に、両ユーザＵ１，Ｕ２による設定内容が互いに合致していない設定項目（非合致項目）が存在する場合、当該非合致項目に関して、他ユーザによって選択された選択肢と実質的に同じ選択肢３５１（３６３）が破線で囲まれて表示される（図１８および図１９参照）。また、当該非合致項目に関して、自分が選択した選択肢と他ユーザが選択した選択肢とがアイコン３７１，３７２，３８１，３８２を用いて互いに区別して表示される（図１８および図１９参照）。このような表示によれば、ユーザは非合致項目の存在を容易に認識することが可能であるとともに、自他のそれぞれが選択した選択肢をも容易に認識することが可能である。
【０１６１】
特に、非合致項目に関して、ユーザＵ１による設定内容とユーザＵ２による設定内容とのいずれもが一方のユーザ（たとえばＵ１）向けの設定画面（たとえば画面３１０（詳細にはポップアップ画面３５０））に表示されるので、当該一方のユーザは、齟齬の内容（どのような齟齬が発生しているのか）を容易に把握することが可能である。なお、他方のユーザ（たとえばＵ２）向けの設定画面についても同様である。
【０１６２】
また、ユーザＵ１向けの設定画面３１０（３５０）においては、非合致項目（「印刷出力色」）に関してユーザＵ１による設定内容とユーザＵ２による設定内容とのいずれもがユーザＵ１向けの言語（日本語）で表示される。同様に、ユーザＵ２向けの設定画面３２０（３６０）においては、非合致項目に関してユーザＵ１による設定内容とユーザＵ２による設定内容とのいずれもがユーザＵ２向けの言語（英語）で表示される。
【０１６３】
特に、或る設定項目に関する設定画面３５０においては、複数の選択肢（３５１〜３５５）のうち、ユーザＵ１によって選択された選択肢（３５３）とユーザＵ２によって選択された選択肢（３５１）との２つの選択肢のみが、いずれも、ユーザＵ１用言語（日本語）とユーザＵ２用言語（英語）との両言語で表示される。当該複数の選択肢のうち、当該２つの選択肢以外の選択肢は、自ユーザ向けの言語（日本語）でのみ表示される。設定画面３６０についても同様である。
【０１６４】
換言すれば、或る設定項目に関して第１ユーザによる設定内容と第２ユーザによる設定内容との両内容が互いに異なる場合、当該設定項目に関する複数の選択肢のうち、第１ユーザによって選択された選択肢と第２ユーザによって選択された選択肢とのみが第１言語と第２言語との両言語で表示される。
【０１６５】
これによれば、複数の選択肢のうち、齟齬している選択肢のみが相手ユーザの使用言語でも表示されるので、相違点のみを整然と表示することが可能である。仮に複数の選択肢の全てが相手ユーザの使用言語でも表示される場合には雑然とした表示態様になり得るのに対して、比較的見易い表示を維持することが可能である。
【０１６６】
＜４．第４実施形態＞
第４実施形態は、第１実施形態等の変形例である。以下では、第１実施形態との相違点を中心に説明する。
【０１６７】
上記第１実施形態〜第３実施形態においては、１つの操作パネル部６ｃ（タッチパネル２５）内にてユーザＵ１向けの表示画面２１０（３１０，５１０等）とユーザＵ２向けの表示画面２２０（３２０，５２０等）との双方が表示されているが、これに限定されない。たとえば、ＭＦＰ１０の操作パネル部６ｃには一のユーザＵ１向けの表示画面２１０（３１０，５１０等）のみが表示されてもよい（図２６参照）。そして、他のユーザＵ２向けの表示画面２２０（３２０，５２０等）は、ＭＦＰ１０とは別の外部装置（スマートフォン、タブレット型携帯端末、パーソナルコンピュータ等）に設けられた操作入力部（タッチパネル等）に表示されてもよい（図２７参照）。
【０１６８】
また、このような表示動作は、ＭＦＰ１０のコントローラ９によって主に制御されればよい。具体的には、ＭＦＰ１０のコントローラ９が、ＭＦＰ１０とは別の外部装置５０に設けられた操作入力部に表示される画面２２０（３２０，５２０等）において、ユーザＵ２による設定内容のみならず、ユーザＵ１による設定内容をも表示するように制御してもよい。詳細には、コントローラ９が画面２２０の表示用データを生成して外部装置５０に送信することによって、当該表示用データに基づく画面２２０を外部装置５０のタッチパネル７５に表示させるようにしてもよい。
【０１６９】
第４実施形態においては、このような態様について説明する。
【０１７０】
図２５は、画像形成システム１を示す図である。この画像形成システム１は、図２５に示されるように、ＭＦＰ１０と外部装置５０とを備える。
【０１７１】
本システム１における各要素１０，５０は、それぞれ、ネットワーク１０８を介して互いに通信可能に接続される。ネットワーク１０８は、ＬＡＮ（Local Area Network）およびインターネットなどによって構成される。また、当該ネットワーク１０８に対する接続態様は、有線接続であってもよく、あるいは無線接続であってもよい。
【０１７２】
外部装置５０は、他の装置（ＭＦＰ１０）との間でのネットワーク通信が可能な情報入出力端末装置（情報端末）である。ここでは、外部装置５０として、タブレット型端末を例示する。ただし、これに限定されず、外部装置５０は、スマートフォン、あるいはパーソナルコンピュータ等であってもよい。
【０１７３】
この画像形成システム１においては、ユーザ（たとえばユーザＵ１）は、ＭＦＰ１０のタッチパネル２５（図１参照）において、当該ユーザ（Ｕ１）の所望の所望のジョブの設定操作を行うことが可能である。また、他のユーザ（たとえばユーザＵ２）は、外部装置５０のタッチパネル７５（図１参照）において、当該他のユーザ（Ｕ２）の所望のジョブの設定操作を行うことが可能である。なお、当該外部装置５０は、一のユーザ（Ｕ２等）による設定操作（ジョブに関する設定操作）を受け付ける「設定操作装置」とも称される。
【０１７４】
具体的には、ＭＦＰ１０は、ユーザＵ１向けの操作画面２１０（設定画面３１０、および設定確認画面５１０）をタッチパネル２５に表示し、ユーザＵ１からの操作入力を受け付ける。
【０１７５】
また、外部装置５０には、ＭＦＰ１０を操作するための操作画面（設定画面等）を用いて外部装置５０において設定操作（ＭＦＰ１０に関する設定操作）を行うためのアプリケーションソフトウエアプログラム（「設定操作アプリケーション」とも称する）がインストールされている。外部装置５０は、当該操作画面の画面情報（画面データ）を取得して外部装置５０のタッチパネル７５に表示し、表示された操作画面においてユーザＵ２による操作（設定操作等）を受け付ける。
【０１７６】
より詳細には、この画像形成システム１では、操作画面等の画面データの授受は、ＭＦＰ１０と外部装置５０との間で行われる。ＭＦＰ１０は、ＭＦＰ１０を操作するための操作画面の画面データを生成し、生成した操作画面の画面データを外部装置５０に送信する。そして、外部装置５０は、ＭＦＰ１０から受信した画面データに基づき当該操作画面２２０（設定画面３２０、および設定確認画面５２０等）をタッチパネル７５に表示し、ユーザＵ２は、外部装置５０に表示された当該操作画面において各種操作を行う。
【０１７７】
この第４実施形態においては、上記各実施形態と同様に、ユーザＵ１向けの表示画面２１０（３１０，５１０（図２６参照）等）には当該ユーザＵ１自身による設定内容のみならず、他のユーザＵ２による設定内容もが表示される。また、ユーザＵ２向けの表示画面２２０（３２０，５２０（図２７参照）等）には当該ユーザＵ２自身による設定内容のみならず、他のユーザＵ１による設定内容もが表示される。このように、ユーザＵ２向けの表示画面２２０が、ＭＦＰ１０のタッチパネル２５とは別の表示装置（外部装置５０のタッチパネル７５）に表示されてもよい。
【０１７８】
具体的には、外部装置５０は、タッチパネル７５等によって受け付けられた操作入力情報（表示画面２２０を用いたユーザＵ２からの操作入力の情報）をＭＦＰ１０に送信し、ＭＦＰ１０は、外部装置５０と通信し、ユーザＵ２による操作入力情報を外部装置５０から取得する。そして、ＭＦＰ１０のコントローラ９は、ＭＦＰ１０の操作部６によって受け付けられた操作入力情報（表示画面２１０を用いたユーザＵ１からの操作入力の情報）と画面２２０を用いたユーザＵ２による操作入力情報との両情報に基づき、表示画面２１０における表示内容を制御する。また、ＭＦＰ１０のコントローラ９は、当該両情報に基づき、表示画面２２０における表示内容をも制御する。
【０１７９】
＜５．変形例等＞
以上、この発明の実施の形態について説明したが、この発明は、上記説明した内容のものに限定されるものではない。
【０１８０】
たとえば、上記第４実施形態においては、ＭＦＰ１０のコントローラ９が各ユーザＵ１，Ｕ２向けの画面２１０，２２０の双方に関する表示動作を制御しているが、これに限定されない。具体的には、ＭＦＰ１０のコントローラ９が表示画面２１０（５１０，３１０等）に関する表示動作を制御し、ＭＦＰ１０とは別の外部装置５０（スマートフォン、タブレット型携帯端末、パーソナルコンピュータ等）内に設けられたコントローラ（ＣＰＵ等）８９（不図示）が、当該外部装置５０の操作入力部（タッチパネル７５等）に表示された表示画面２２０（５２０，３２０等）に関する表示動作を制御してもよい。特に、外部装置５０のコントローラが画面２２０の表示用データを生成して、当該表示用データに基づく画面２２０をタッチパネル７５に表示させるようにしてもよい。
【０１８１】
この場合、外部装置５０は、タッチパネル７５等によって受け付けられた操作入力情報（表示画面２２０を用いたユーザＵ２からの操作入力の情報）をＭＦＰ１０に送信し、ＭＦＰ１０は、外部装置５０と通信し、ユーザＵ２による操作入力情報を外部装置５０から取得する。そして、ＭＦＰ１０のコントローラ９は、ＭＦＰ１０の操作部６によって受け付けられた操作入力情報（表示画面２１０を用いたユーザＵ１からの操作入力の情報）と画面２２０を用いたユーザＵ２による操作入力情報とに基づき、表示画面２１０における表示内容を制御する。
【０１８２】
また、ＭＦＰ１０は、表示画面２１０を用いたユーザＵ１からの操作入力の情報を外部装置５０に送信する。外部装置５０は、ＭＦＰ１０と通信し、ユーザＵ１による操作入力情報をＭＦＰ１０から取得する。そして、外部装置５０のコントローラ８９は、画面２１０を用いたユーザＵ１からの操作入力の情報と画面２２０を用いたユーザＵ２からの操作入力の情報とに基づき、画面２２０における表示内容を制御する。
【０１８３】
このように、ＭＦＰ１０の表示動作と外部装置５０の表示動作とがそれぞれ別個のコントローラを用いて制御されてもよい。
【０１８４】
また、上記第３実施形態においては、一の設定項目に関する両ユーザＵ１，Ｕ２による両設定内容が互いに異なる場合、当該一の設定項目に関する複数の選択肢のうち、両ユーザＵ１，Ｕ２による設定内容に対応する各選択肢（「ブラック」、「オートカラー」）が第１言語と第２言語との両言語でそれぞれ表示されている（図１８および図１９参照）。特に、上記第３実施形態では、当該各選択肢が両言語で同時に表示されている（日本語表記と英語表記とが併記されている）が、これに限定されない。
【０１８５】
具体的には、当該各選択肢の各言語表記が交互に表示されてもよい。たとえば、選択肢３５３（，３６３）に関して、日本語表記（ブラック）と英語語表記（black）とが一定期間ごとに交互に表示されてもよい。他の選択肢３５１，３６１等についても同様である。
【０１８６】
あるいは、各画面におけるユーザ操作に応じて他ユーザ向けの言語表記が実行されてもよい。たとえば、ユーザＵ１向けの設定画面３１０（３５０）において選択肢３５１，３５３をユーザＵ１用言語（日本語）で先ず表記しておく。その後、選択肢３５１（あるいは３５３）に関する特定操作（たとえばロングタップ操作）が行われた場合にのみ、当該選択肢３５１（あるいは３５３）内の文字列をユーザＵ２用言語（英語）による表記に変更してもよい。あるいは、選択肢３５１（あるいは３５３）に関する特定操作（たとえばロングタップ操作）が行われた場合にのみ、当該選択肢３５１（あるいは３５３）をユーザＵ２用言語（英語）で表現した文字列（英語表記文字列）が当該選択肢３５１（あるいは３５３）に対してポップアップ表示されるようにしてもよい。なお、ユーザＵ２向けの設定画面３２０（３６０）における選択肢３６１，３６３についても同様である。
【０１８７】
また、上記各実施形態においては、タッチパネル２５内における各表示画面２１０，２２０の大きさが固定されているが、これに限定されず、各表示画面２１０，２２０の大きさがユーザ操作等に応じて変更されてもよい。たとえば、図２３に示されるように、２つの設定画面３１０，３２０とのうちの一方の設定画面３１０がユーザ操作に応じて拡大されるとともに、他方の設定画面３２０は当該ユーザ操作に連動して（逆に）縮小されてもよい。これによれば、２人のユーザのうちの一方（たとえばユーザＵ１）が主導しつつ他のユーザＵ２との設定内容調整作業を容易に行うことができる。
【０１８８】
また、上記各実施形態においては、２人のユーザＵ１，Ｕ２の使用言語が互いに異なる場合について説明したが、これに限定されない。たとえば、ユーザＵ１，Ｕ２のうちの一方のユーザが発声障害等を有している場合であっても、発声を伴わずに（あるいは発声の頻度を抑制して）両ユーザＵ１，Ｕ２が共同設定作業を行うことが可能である。また、このような場合等においては、画面２１０と画面２２０とが互いに同じ言語で表示されていてもよい。より詳細には、画面２１０内の各設定内容（および各設定項目名称）と画面２２０内の各設定内容（および各設定項目名称）とが互いに同じ言語で表示されてもよい。
【符号の説明】
【０１８９】
１  画像形成システム
１０  ＭＦＰ（画像形成装置）
２５，７５  タッチパネル
５０  外部装置
３１０  ユーザＵ１向けの設定画面（表示画面）
３２０  ユーザＵ２向けの設定画面（表示画面）
３５０  ユーザＵ１向けのポップアップ画面（表示画面）
３５１〜３５５，３６１〜３６５  選択肢
３６０  ユーザＵ２向けのポップアップ画面（表示画面）
３７１，３７２，３８１，３８２  アイコン
５１０  ユーザＵ１向けの設定確認画面（表示画面）
５１１  プレビュー画面
５１３ａ，５１３ｂ，５１３ｃ，５２３ａ，５２３ｂ，５２３ｃ  ボタン領域
５２０  ユーザＵ２向けの設定確認画面（表示画面）
５１５ａ，５１５ｂ，５１５ｃ，５２５ａ，５２５ｂ，５２５ｃ  吹き出し画像
５１７ａ，５１７ｂ，５１７ｃ，５２７ａ，５２７ｂ，５２７ｃ  マーク
【図１】
2020188356.tif 000003
【図２】
2020188356.tif 000004
【図３】
2020188356.tif 000005
【図４】
2020188356.tif 000006
【図５】
2020188356.tif 000007
【図６】
2020188356.tif 000008
【図７】
2020188356.tif 000009
【図８】
2020188356.tif 000010
【図９】
2020188356.tif 000011
【図１０】
2020188356.tif 000012
【図１１】
2020188356.tif 000013
【図１２】
2020188356.tif 000014
【図１３】
2020188356.tif 000015
【図１４】
2020188356.tif 000016
【図１５】
2020188356.tif 000017
【図１６】
2020188356.tif 000018
【図１７】
2020188356.tif 000019
【図１８】
2020188356.tif 000020
【図１９】
2020188356.tif 000021
【図２０】
2020188356.tif 000022
【図２１】
2020188356.tif 000023
【図２２】
2020188356.tif 000024
【図２３】
2020188356.tif 000025
【図２４】
2020188356.tif 000026
【図２５】
2020188356.tif 000027
【図２６】
2020188356.tif 000028
【図２７】
2020188356.tif 000029